(57)【要約】      （修正有）【課題】通話機能およびコンテンツ再生機能を持つ携帯端末において、コンテンツを鑑賞しながら快適な通話を行う。【解決手段】通話機能は、電話処理回路１４によって実現される。また、ＴＶ受信機能は、ＴＶ受信回路２６によって実現される。発話者の音声は、マイクロフォン１６によって取り込まれる。スピーカＳＰ２とマイクロフォン１６の距離は、スピーカＳＰ１とマイクロフォン１６の距離より短く隔てて配置される。また、ＴＶ受信機能が起動状態であるか否かは、ＣＰＵ３８によって判別される。この判別結果が否定的であれば、ＣＰＵ３８は、スピーカＳＰ１を通話機能によって受信される受話音声に割り当てる。これに対して、判別結果が肯定的であれば、ＣＰＵ３８は、スピーカＳＰ１およびＳＰ２をＴＶ受信機能によって再生されるＴＶ番組の音声および通話機能によって受信される受話音声にそれぞれ割り当てる。【選択図】  図１
2006279122.tif 000002
【特許請求の範囲】
【請求項１】
所望の相手と通話を行う通話機能と音声を含む所望のコンテンツを再生するコンテンツ再生機能とを有する携帯端末において、
発話音声を取り込むマイクロフォン、
前記マイクロフォンから第１距離を隔てて配置される第１スピーカ、
前記マイクロフォンから前記第１距離よりも短い第２距離を隔てて配置される第２スピーカ、
前記コンテンツ再生機能が起動状態であるか否かを判別する第１判別手段、
前記第１判別手段の判別結果が否定的であるとき前記第１スピーカを前記通話機能によって受信される受話音声に割り当てる第１割り当て手段、および
前記第１判別手段の判別結果が肯定的であるとき前記第１スピーカおよび前記第２スピーカを前記コンテンツ再生機能によって再生されるコンテンツの音声および前記通話機能によって受信される受話音声にそれぞれ割り当てる第２割り当て手段を備えることを特徴とする、携帯端末。
【請求項２】
前記マイクロフォンによって取り込まれた発話音声を前記通話機能によって受信された受話音声に多重する多重手段、
前記第１割り当て手段の割り当て動作に関連して前記多重手段の多重動作を許容する許容手段、および
前記第２割り当て手段の割り当て動作に関連して前記多重手段の多重動作を禁止する禁止手段をさらに備える、請求項１記載の携帯端末。
【請求項３】
前記通話機能による前記所望の相手との接続が確立状態のとき前記判別手段を能動化する能動化手段をさらに備える、請求項１または２記載の携帯端末。
【請求項４】
前記通話機能による前記所望の相手との接続が非確立状態でかつ前記コンテンツ再生機能が起動状態のとき前記コンテンツ再生機能によって再生されるコンテンツの音声を前記第１スピーカおよび前記第２スピーカに割り当てる第３割り当て手段をさらに備える、請求項３記載の携帯端末。
【請求項５】
前記コンテンツ再生機能によって再生されるコンテンツの音声はステレオ音声であり、
前記第３割り当て手段は、前記第１スピーカを右チャネル音声および左チャネル音声の一方に割り当て、前記第２スピーカを右チャネル音声および左チャネル音声の他方に割り当てる、請求項４記載の携帯端末。
【請求項６】
前記コンテンツ再生機能によって再生されるコンテンツは映像をさらに含み、
前記映像を表示するモニタをさらに備える、請求項１ないし５のいずれかに記載の携帯端末。
【請求項７】
前記第１スピーカは所定方向における前記モニタの一方端に配置され、前記第２スピーカは前記所定方向における前記モニタの他方端に配置される、請求項６記載の携帯端末。
【請求項８】
前記コンテンツ再生機能によって再生されるコンテンツは放送システムによって放送されるコンテンツを含む、請求項１ないし７のいずれかに記載の携帯端末。
【請求項９】
前記第１割り当て手段の割り当て動作に関連して前記第１スピーカの音量を第１量に設定する第１設定手段、および
前記第２割り当て手段の割り当て動作に関連して前記第２スピーカの音量を前記第１量よりも大きい第２量に設定する第２設定手段をさらに備える、請求項１ないし８のいずれかに記載の携帯端末。
【発明の詳細な説明】
【技術分野】
【０００１】
この発明は、携帯端末に関し、特にたとえば所望の相手と通話を行う通話機能と音声を含む所望のコンテンツを再生するコンテンツ再生機能とを有する、携帯端末に関する。
【背景技術】
【０００２】
従来のこの種の携帯端末の一例が、特許文献１に開示されている。この従来技術によれば、通話機能（電話機能）は移動通信システムとの間で通信を行う移動通信回路によって実現され、コンテンツ再生機能はテレビジョン放送システムから番組コンテンツを受信する放送番組回路によって実現される。これによって、所望の相手との通話と所望の番組コンテンツの鑑賞とが可能となる。
【特許文献１】特開２００４−２６６５２５号公報［H04H1/00, H04B7/26, H04M1/00, H04M1/247 H04N7/173 620, H04N7/173 630］
【発明の開示】
【発明が解決しようとする課題】
【０００３】
しかし、通話機能およびコンテンツ再生機能が並存することで、コンテンツを鑑賞しながら通話を行いたいという要求が発生する。にも関わらず、従来技術では、この要求に対する解決策を何ら開示していない。
【０００４】
それゆえに、この発明の主たる目的は、コンテンツ再生機能の起動／停止状態に応じた快適な通話を実現することができる、携帯端末を提供することである。
【課題を解決するための手段】
【０００５】
請求項１の発明に従う携帯端末は、所望の相手と通話を行う通話機能と音声を含む所望のコンテンツを再生するコンテンツ再生機能とを有する携帯端末において、発話音声を取り込むマイクロフォン、マイクロフォンから第１距離を隔てて配置される第１スピーカ、マイクロフォンから第１距離よりも短い第２距離を隔てて配置される第２スピーカ、コンテンツ再生機能が起動状態であるか否かを判別する第１判別手段、第１判別手段の判別結果が否定的であるとき第１スピーカを通話機能によって受信される受話音声に割り当てる第１割り当て手段、および第１判別手段の判別結果が肯定的であるとき第１スピーカおよび第２スピーカをコンテンツ再生機能によって再生されるコンテンツの音声および通話機能によって受信される受話音声にそれぞれ割り当てる第２割り当て手段を備えることを特徴とする。
【０００６】
所望の相手と通話は通話機能によって実現され、所望のコンテンツの再生はコンテンツ再生機能によって実現される。発話音声は、マイクロフォンによって取り込まれる。第１スピーカはマイクロフォンから第１距離を隔てて配置され、第２スピーカはマイクロフォンから第２距離を隔てて配置される。ここで、第２距離は第１距離よりも短い。また、コンテンツ再生機能が起動状態であるか否かは、第１判別手段によって判別される。
【０００７】
第１判別手段の判別結果が否定的であれば、第１割り当て手段が、第１スピーカを通話機能によって受信される受話音声に割り当てる。これに対して、第１判別手段の判別結果が肯定的であれば、第２割り当て手段が、第１スピーカおよび第２スピーカをコンテンツ再生機能によって再生されるコンテンツの音声および通話機能によって受信される受話音声にそれぞれ割り当てる。
【０００８】
したがって、コンテンツ再生機能が停止状態であれば、マイクロフォンおよび第１スピーカを用いた通話が実現される。マイクロフォンから第１スピーカまでの距離はマイクロフォンから第２スピーカまでの距離よりも長いため、通話は携帯端末を発話者の顔に近付けた状態で行われる。
【０００９】
一方、コンテンツ再生機能が起動状態であれば、マイクロフォンおよび第２スピーカを用いた通話と、第１スピーカを用いたコンテンツの鑑賞とが実現される。第１スピーカおよび第２スピーカの配置は上述のとおりであるため、通話およびコンテンツの鑑賞は携帯端末を置いた状態で行われる。
【００１０】
つまり、請求項１の発明によれば、コンテンツ再生機能の起動／停止状態に応じた快適な通話が実現される。
【００１１】
請求項２の発明に従う携帯端末は、請求項１に従属し、マイクロフォンによって取り込まれた発話音声を通話機能によって受信された受話音声に多重する多重手段、第１割り当て手段の割り当て動作に関連して多重手段の多重動作を許容する許容手段、および第２割り当て手段の割り当て動作に関連して多重手段の多重動作を禁止する禁止手段をさらに備える。
【００１２】
したがって、コンテンツ再生機能が停止状態にあり、携帯端末を顔に近付けて通話を行うときは、発話音声が第１スピーカから出力される。これによって、発話音声が通話相手に送信されていることを発話者の耳で容易に確認することができる。また、コンテンツ再生機能が起動状態にあり、よりマイクロフォンに近い第２スピーカから受話音声が出力されるときは、発話音声の第２スピーカからの出力が禁止される。これによって、ハウリングを防止することができる。
【００１３】
請求項３の発明に従う携帯端末は、請求項１または２に従属し、通話機能による所望の相手との接続が確立状態のとき判別手段を能動化する能動化手段をさらに備える。
【００１４】
請求項４の発明に従う携帯端末は、請求項３に従属し、通話機能による所望の相手との接続が非確立状態でかつコンテンツ再生機能が起動状態のときコンテンツ再生機能によって再生されるコンテンツの音声を第１スピーカおよび第２スピーカに割り当てる第３割り当て手段をさらに備える。これによって、スピーカ資源を有効活用できる。
【００１５】
請求項５の発明に従う携帯端末は、請求項４に従属し、コンテンツ再生機能によって再生されるコンテンツの音声はステレオ音声であり、第３割り当て手段は、第１スピーカを右チャネル音声および左チャネル音声の一方に割り当て、第２スピーカを右チャネル音声および左チャネル音声の他方に割り当てる。これによって、臨場感を向上させることができる。
【００１６】
請求項６の発明に従う携帯端末は、請求項１ないし５のいずれかに従属し、コンテンツ再生機能によって再生されるコンテンツは映像をさらに含み、映像を表示するモニタをさらに備える。
【００１７】
請求項７の発明に従う携帯端末は、請求項６に従属し、第１スピーカは所定方向におけるモニタの一方端に配置され、第２スピーカは所定方向におけるモニタの他方端に配置される。これによって、臨場感が向上する。
【００１８】
請求項８の発明に従う携帯端末は、請求項１ないし７のいずれかに従属し、コンテンツ再生機能によって再生されるコンテンツは放送システムによって放送されるコンテンツを含む。
【００１９】
請求項９の発明に従う携帯端末は、請求項１ないし８のいずれかに従属し、第１割り当て手段の割り当て動作に関連して第１スピーカの音量を第１量に設定する第１設定手段、および第２割り当て手段の割り当て動作に関連して第２スピーカの音量を第１量よりも大きい第２量に設定する第２設定手段をさらに備える。これによって、コンテンツ再生機能の起動／停止状態に応じた快適な通話が実現される。
【発明の効果】
【００２０】
この発明によれば、コンテンツ再生機能が停止状態であれば、マイクロフォンおよび第１スピーカを用いた通話が実現される。マイクロフォンから第１スピーカまでの距離はマイクロフォンから第２スピーカまでの距離よりも長いため、通話は携帯端末を発話者の顔に近付けた状態で行われる。一方、コンテンツ再生機能が起動状態であれば、マイクロフォンおよび第２スピーカを用いた通話と、第１スピーカを用いたコンテンツの鑑賞とが実現される。第１スピーカおよび第２スピーカの配置は上述のとおりであるため、通話およびコンテンツの鑑賞は携帯端末を置いた状態で行われる。つまり、この発明によれば、コンテンツ再生機能の起動／停止状態に応じた快適な通話が実現される。
【００２１】
この発明の上述の目的，その他の目的，特徴および利点は、図面を参照して行う以下の実施例の詳細な説明から一層明らかとなろう。
【発明を実施するための最良の形態】
【００２２】
図１を参照して、この実施例の携帯通信端末１０は、移動通信システムと協働して通話機能を実現する電話処理回路１２と、ＴＶ放送システムと協働してＴＶ受信機能を実現するＴＶ受信回路２６とを含む。なお、通話機能は、電源がオンされている限り、常に起動状態にある。これに対して、ＴＶ受信機能は、ＴＶモード起動操作（後述）に応答して起動し、ＴＶモード停止操作（後述）に応答して停止する。
【００２３】
通話操作パネル３６によってダイヤル操作が行われると、ＣＰＵ４０は電話処理回路１４に発呼処理を命令する。電話処理回路１４は発呼処理を実行し、この結果、所望の通話相手に向けて発呼信号が送信される。発呼処理の開始によって、携帯端末１０の状態は非通話状態から通話試行状態に移行する。
【００２４】
また、アンテナ１２を通して発呼信号を受信すると、電話処理回路１４は着信検出信号をＣＰＵ３８に与える。ＣＰＵ４０は、着信を通知するべく、音声メッセージの発生をサウンドジェネレータ２０に命令し、スイッチＳＷ２を端子Ｔ３に接続する。このような着信通知処理の開始によって、携帯端末１０の状態は非通話状態から通話試行状態に移行する。
【００２５】
サウンドジェネレータ２０から出力された音声メッセージは、スイッチＳＷ２を介してセレクタ２２に与えられる。セレクタ２２は、ＴＶ受信機能が停止状態のときスイッチＳＷ２の出力端をアンプＡＰ１と接続し、ＴＶ受信機能が起動状態のときスイッチＳＷ２の出力端をアンプＡＰ２と接続する。したがって、音声メッセージは、ＴＶ受信機能が停止状態のときスピーカＳＰ１から出力され、ＴＶ受信機能が起動状態のときスピーカＳＰ２から出力される。
【００２６】
着信通知に対してオフフック操作が行われなければ、通話接続は失敗に終わる。携帯端末１０の状態は、通話試行状態から非通話状態に戻る。一方、着信通知に対してオフフック操作が行われれば、通話接続は成功する。携帯端末１０の状態は、通話試行状態から通話可能状態に移行する。
【００２７】
通話可能状態に移行すると、マイクロフォン１６によって捉えられた発話音声が、電話処理回路１４による変調処理を経て、アンテナ１２から出射される。出射された発話音声は、通話相手の通信端末に向けて送信される。
【００２８】
通話相手から送られてきた受話音声は、アンテナ１２によって受信され、電話処理回路１４によって復調される。復調された受話音声は、多重回路４０を形成する加算器１８に与えられ、マイクロフォン１６によって捉えられた発話音声と混合（多重）される。加算器１８からは、混合音声が出力される。
【００２９】
スイッチＳＷ１は、ＴＶ受信機能が停止状態のとき、側音機能（多重機能）をオンするべく端子Ｔ１と接続される。スイッチＳＷ１はまた、ＴＶ受信機能が起動状態のとき、側音機能をオフするべく端子Ｔ２と接続される。スイッチＳＷ２は、通話可能状態において端子Ｔ４と接続される。セレクタ２２は、上述のように、ＴＶ受信機能が停止状態のときスイッチＳＷ２の出力端をアンプＡＰ１と接続し、ＴＶ受信機能が起動状態のときスイッチＳＷ２の出力端をアンプＡＰ２と接続する。
【００３０】
したがって、ＴＶ受信機能が停止状態のときにスイッチＳＷ１およびＳＷ２を通過する混合音声は、アンプＡＰ１を介してスピーカＳＰ１から出力される。また、ＴＶ受信機能が起動状態のときにスイッチＳＷ１およびＳＷ２を通過する受話音声は、アンプＡＰ２を介してスピーカＳＰ２から出力される。
【００３１】
一方の話者がオフフック操作を行うと、通話接続が遮断される。携帯端末１０の状態は、通話可能状態から非通話状態に移行する。
【００３２】
なお、“通話可能状態”とは、話者間の接続に成功し、通話が可能となっている状態を言う。“通話試行状態”とは、話者間の接続を試みている途中であり、接続の成功／失敗が不確定な状態を言う。“非通話状態”とは、通話可能状態および通話試行状態のいずれでもない状態を言う。
【００３３】
ＴＶ操作パネル３６によってＴＶモード起動操作が実行されると、ＣＰＵ３８は、ＴＶ受信機能を起動するべくＴＶ受信回路２６に電源を供給し、初期チャネルの選局をＴＶ受信回路２６に命令する。ＴＶ受信回路２６は、高周波テレビジョン信号をアンテナ２４から入力し、初期チャネルで放送されるＴＶ番組の映像／音声を抽出する。番組映像は、端子Ｔ１０からＬＣＤモニタ２８に向けて出力される。番組のＬｃｈステレオ音声，Ｒｃｈステレオ音声およびモノラル音声はそれぞれ、セレクタ２２に向けて端子Ｔ７，Ｔ８およびＴ９から出力される。
【００３４】
セレクタ２２は、非通話状態のとき端子Ｔ７およびＴ８をアンプＡＰ１およびＡＰ２にそれぞれ接続し、通話試行状態または通話可能状態のとき端子Ｔ９をアンプＡＰ１に接続する。したがって、非通話状態では、Ｌｃｈステレオ音声およびＲｃｈステレオ音声がスピーカＳＰ１およびＳＰ２からそれぞれ出力される。また、通話試行状態および通話可能状態では、モノラル音声がスピーカＳＰ１から出力される。
【００３５】
ＴＶ操作パネル３６によってチャネル切換操作が行われると、ＣＰＵ３８は、ＴＶ受信回路２６に対してチューニングをかける。ＴＶ受信回路２６は、抽出すべき番組映像／音声のチャネルを所望のチャネルに変更する。また、ＴＶ操作パネル３６によってＴＶモード停止操作が行われると、ＣＰＵ３８は、ＴＶ受信回路２６への電源の供給を停止する。これによって、ＴＶ受信機能が停止する。
【００３６】
図２（Ａ）〜図２（Ｃ）を参照して、携帯端末１０は、本体ＭＢと２つのカバーＣＶ１およびＣＶ２とによって形成される。カバーＣＶ１はヒンジＨ１によって本体ＭＢと結合され、カバーＣＶ２はヒンジＨ２によって本体ＭＢと結合される。
【００３７】
ＴＶ操作パネル３６はカバーＣＶ１の裏面に埋め込まれ、通話操作パネル３４はカバーＣＶ２の裏面に埋め込まれる。また、マイクロフォン１６はヒンジＨ２に埋め込まれる。
【００３８】
ＬＣＤモニタ２８は本体ＭＢの長さ方向中央に埋め込まれ、スピーカＳＰ１は本体ＭＢの長さ方向一方端に埋め込まれ、そしてスピーカＳＰ２は本体ＭＢの長さ方向他方端に埋め込まれる。ＬＣＤモニタ２８およびスピーカＳＰ１，ＳＰ２のいずれも、本体ＭＢの一方主面上に露出する。ＬＣＤモニタ２８は、このようにスピーカＳＰ１およびＳＰ２によって挟まれる。
【００３９】
図２（Ｂ）から分かるように、スピーカＳＰ１はマイクロフォン１６から距離Ｄ１を隔てて配置され、スピーカＳＰ２はマイクロフォン１６から距離Ｄ２を隔てて配置される。距離Ｄ１は、距離Ｄ２よりも長い。
【００４０】
ヒンジＨ１は、スピーカＳＰ１の近傍において本体ＭＢの幅方向に伸びる軸ＡＸ１の周りを回転可能である。同様に、ヒンジＨ２は、スピーカＳＰ２の近傍において本体ＭＢの幅方向に伸びる軸ＡＸ２の周りを回転可能である。カバーＣＶ１およびＣＶ２の各々は、本体ＭＢの一方主面の１／２の面積を有する。したがって、カバーＣＶ１およびＣＶ２を閉じると、図２（Ａ）に示すように、本体ＭＢの一方主面がカバーＣＶ１およびＣＶ２によって覆われる。  
【００４１】
本体ＭＢはまた、ＬＣＤモニタ２８の中心を本体ＭＢの長さ方向に伸びる軸ＡＸ３の周りを回転可能である。したがって、カバーＣＶ１およびＣＶ２の各々をほぼ１２０°開き、かつ本体ＭＢをほぼ１５°回転させると、携帯端末１０は図２（Ｃ）に示す姿勢を保つ。
【００４２】
移動通信システムを用いた通話は、通常、図２（Ａ）または図２（Ｂ）の姿勢で、かつ携帯端末１０を顔に近付けた状態で、行われる。また、ＴＶ放送システムを用いて受信されたＴＶ番組の視聴は、通常、図２（Ｃ）の姿勢で、かつ携帯端末１０をテーブルなどの上に置いた状態で、行われる。
【００４３】
ただし、図２（Ｃ）に示す姿勢でＴＶ番組を視聴しているときに、着信が通知される場合がある。このとき、通話のためにＴＶ番組の視聴が中断されると、操作性が低減する。この実施例では、ＴＶ番組を視聴している途中で着信通知が発生すると、側音機能のオン／オフ設定とスピーカＳＰ１およびＳＰ２への音声の割り当てとが変更される。これによって、受話音声がスピーカＳＰ１から出力され、ＴＶ番組のモノラル音声がスピーカＳＰ２から出力される。
【００４４】
番組音声が出力されるスピーカＳＰ１からマイクロフォン１６までの距離Ｄ１は、受話音声が出力されるスピーカＳＰ２からマイクロフォン１６までの距離Ｄ２よりも長い。このため、番組音声によって通話が妨げられるのを回避することができる。また、側音機能がオフされた結果、マイクロフォン１６によって捉えられた発話音声がスピーカＳＰ１から出力されることはない。このため、いわゆるハウリングの発生を防止することができる。この結果、ＴＶ番組の視聴と並行して、快適な通話が可能となる。
【００４５】
なお、アンプＡＰ１およびＡＰ２の増幅率は、図２（Ａ）または図２（Ｂ）に示す姿勢での通話、図２（Ｂ）に示す姿勢での番組視聴、あるいは図２（Ｃ）に示す姿勢での通話／番組視聴に適した値に設定される。
【００４６】
ＣＰＵ４０は、μＩＴＲＯＮのようなマルチタスクＯＳの制御の下で、図３に示す通話タスク，図４に示すＴＶ受信タスクおよび図５に示すスピーカ制御タスクを含む複数のタスクを並列的に実行する。なお、これらのタスクに対応する制御プログラムは、フラッシュメモリ３０に記憶される。
【００４７】
まず図３を参照して、ステップＳ１では初期化処理を行う。具体的には、側音機能をオンするべくスイッチＳＷ１を端子Ｔ１に接続し、現時点の状態が非通話状態であることを他のタスクに向けて明らかにするべくフラグＦｃｎｃｔを“０”に設定する。ステップＳ３では通話イベントが発生したか否かを判別し、ＹＥＳであればステップＳ５でフラグＦｃｎｃｔを“１”に設定する。ステップＳ５の処理によって、現時点の状態が通話可能状態または通話試行状態であることが明らかにされる。
【００４８】
ステップＳ７では、発生した通話イベントがダイヤル操作および着信のいずれであるかを判別する。通話イベントがダイヤル操作であればステップＳ９で発呼処理を行い、通話イベントが着信であればステップＳ１１で着信通知処理を実行する。発呼処理によって、所望の通話相手の端末に向けて発呼信号が送信される。また、着信通知処理によって、音声メッセージがスピーカＳＰ１から出力される。
【００４９】
ステップＳ１３では通話接続に成功したか否かを判別し、ステップＳ１５では通話接続に失敗したか否かを判別する。着信が通知された端末のユーザがオフフック操作を行うと、通話接続に成功する。一方、着信が通知された端末のユーザが何らの操作も行わなければ、接続に失敗する。
【００５０】
ステップＳ１３でＹＥＳであればステップＳ１７に進み、通話処理を行う。これによって、現時点の状態が通話試行状態から通話可能状態に移行する。ステップＳ１９では、通話接続が遮断されたか否かを判別する。通話接続は、少なくとも一方の話者によってオンフック操作が行われたときに遮断され、これによって現時点の状態が通話可能状態から非通話状態に移行する。ステップＳ１９でＹＥＳと判断されたときは、現時点の状態が非通話状態であることを明らかにするべくフラグＦｃｎｃｔを“０”に設定し、その後ステップＳ３に戻る。
【００５１】
ステップＳ１５でＹＥＳと判断されると、現時点の状態が通話試行状態から非通話状態に移行する。このときは、ステップＳ２１の処理を経てステップＳ３に戻る。
【００５２】
図４を参照して、ステップＳ３１ではＴＶモード起動操作が行われたか否かを判別する。ここでＹＥＳであれば、ステップＳ３３でＴＶ受信機能を起動し、ステップＳ３５で受信チャネルを初期化する。この結果、初期チャネルの番組映像がＬＣＤモニタ３４から出力され、初期チャネルの番組音声がスピーカＳＰ１およびＳＰ２あるいはスピーカＳＰ１のみから出力される。
【００５３】
ステップＳ３７ではＴＶモード停止操作が行われたか否かを判別し、ステップＳ４１ではチャネル切換操作が行われたか否かを判別する。ステップＳ３７でＹＥＳであれば、ステップＳ３９でＴＶ受信機能を停止し、その後ステップＳ３１に戻る。ステップＳ４１でＹＥＳであれば、ステップＳ４３でチューニングを行い、その後ステップＳ３７に戻る。
【００５４】
図５を参照して、ステップＳ５１ではフラグＦｃｎｃｔが“１”であるか否かを判別し、ステップＳ５３およびＳ７１の各々ではＴＶ受信機能が起動状態であるか否かを判別する。ステップＳ５１でＹＥＳと判断されかつステップＳ５３でＮＯと判断されると、ステップＳ５５に進み、ステップＳ５１およびＳ５３の各々でＹＥＳと判断されるとステップＳ６１に進む。また、ステップＳ５１でＮＯと判断されかつステップＳ７１でＹＥＳと判断されるとステップＳ７３に進み、ステップＳ５１およびＳ７１の各々でＮＯと判断されると、ステップＳ５１に戻る。
【００５５】
ステップＳ５５では、通話音声をスピーカＳＰ１から出力するべく、スイッチＳＷ２の出力端とアンプＡＰ１との接続をセレクタ２２に命令する。ステップＳ５７では、側音機能をオンするべく、スイッチＳＷ１を端子Ｔ１に接続する。ステップＳ５９では、増幅率α１をアンプＡＰ１に設定する。スピーカＳＰ１から出力される混合音声の量は、携帯端末１０を顔に近付けて通話を行うのに適した量となる。ステップＳ５９の処理が完了すると、ステップＳ５１に戻る。
【００５６】
なお、増幅率α１および後述する増幅率α２，α３は、α１＜α２＜α３の関係を有する。つまり、増幅率は、α１→α２→α３の順で大きくなる。
【００５７】
ステップＳ６１では、ＴＶ番組のモノラル音声をスピーカＳＰ１から出力するべく、ＴＶ処理回路２６の端子Ｔ９とアンプＡＰ１との接続をセレクタ２２に命令する。ステップＳ６３では、通話音声をスピーカＳＰ２から出力するべく、スイッチＳＷ２の出力端とアンプＡＰ２との接続をセレクタ２２に命令する。ステップＳ６５では、側音機能をオフするべく、スイッチＳＷ１を端子Ｔ２に接続する。ステップＳ６７では増幅率α２をアンプＡＰ１に設定し、ステップＳ６９では増幅率α３をアンプＡＰ２に設定する。
【００５８】
スピーカＳＰ１から出力される番組音声の量およびスピーカＳＰ２から出力される受話音声の量は、携帯端末１０をテーブルなどの上に置いた状態でＴＶ番組を視聴しながら通話を行うのに適した量となる。ステップＳ６９の処理が完了すると、ステップＳ５１に戻る。
【００５９】
ステップＳ７３では、ＴＶ番組のＬｃｈステレオ音声をスピーカＳＰ１から出力するべく、ＴＶ処理回路２６の端子Ｔ７とアンプＡＰ１との接続をセレクタ２２に命令する。ステップＳ７５では、ＴＶ番組のＲｃｈステレオ音声をスピーカＳＰ２から出力するべく、ＴＶ処理回路２６の端子Ｔ８とアンプＡＰ２との接続をセレクタ２２に命令する。ステップＳ７７では増幅率α３をアンプＡＰ１に設定し、ステップＳ７９では増幅率α３をアンプＡＰ２に設定する。スピーカＡＰ１およびＳＰ２から出力される番組音声の量は、携帯端末１０をテーブルなどの上に置いた状態でＴＶ番組を視聴するのに適した量となる。ステップＳ６９の処理が完了すると、ステップＳ５１に戻る。
【００６０】
以上の説明から分かるように、通話機能は、移動通信システムと協働する電話処理回路１４によって実現される。また、ＴＶ受信機能（コンテンツ再生機能）は、ＴＶ放送システムと協働するＴＶ受信回路２６によって実現される。
【００６１】
発話者の音声は、マイクロフォン１６によって取り込まれる。スピーカＳＰ１はマイクロフォン１６から距離Ｄ１を隔てて配置され、スピーカＳＰ２はマイクロフォン１６から距離Ｄ２を隔てて配置される。ここで、距離Ｄ２は距離Ｄ１よりも短い。また、ＴＶ受信機能が起動状態であるか否かは、ＣＰＵ３８によって判別される(S53)。
【００６２】
この判別結果が否定的であれば、ＣＰＵ３８は、スピーカＳＰ１を通話機能によって受信される受話音声に割り当てる(S55)。これに対して、判別結果が肯定的であれば、ＣＰＵ３８は、スピーカＳＰ１およびＳＰ２をＴＶ受信機能によって再生されるＴＶ番組の音声および通話機能によって受信される受話音声にそれぞれ割り当てる(S73, S75)。
【００６３】
したがって、ＴＶ受信機能が停止状態であれば、マイクロフォン１６およびスピーカＳＰ１を用いた通話が実現される。マイクロフォン１６からスピーカＳＰ１までの距離Ｄ１はマイクロフォン１６からスピーカＳＰ２までの距離Ｄ２よりも長いため、通話は携帯端末１０を発話者の顔に近付けた状態で行われる。
【００６４】
一方、ＴＶ受信機能が起動状態であれば、マイクロフォン１６およびスピーカＳＰ２を用いた通話と、スピーカＳＰ１を用いたＴＶ番組の鑑賞とが、同時に実現される。スピーカＳＰ１およびＳＰ２の配置は上述のとおりであるため、通話およびＴＶ番組の鑑賞は、携帯端末１０をテーブルなどに置いた状態で行われる。
【００６５】
また、ＴＶ受信機能が停止状態にあり、携帯端末１０を顔に近付けて通話を行うときは、ＣＰＵ３８によって側音機能がオンされる(S57)。この結果、発話音声がスピーカＳＰ１から出力され、発話音声が通話相手に送信されていることを発話者の耳で容易に確認することができる。また、ＴＶ受信機能が起動状態にあり、よりマイクロフォン１６に近いスピーカＳＰ２から受話音声が出力されるときは、ＣＰＵ３８によって側音機能がオフされる(S65)。この結果、発話音声のスピーカＳＰ２からの出力が禁止され、ハウリングの防止が可能となる。つまり、この実施例によれば、ＴＶ受信機能の起動／停止状態に応じた快適な通話が実現される。
【００６６】
なお、この実施例では、ＴＶ放送システムを用いてリアルタイムで放送されるＴＶ番組を再生コンテンツとして想定している。しかし、再生コンテンツとしては、記録媒体またはインターネットから取得されたＴＶ番組，ゲーム，音楽などを想定してもよい。ただし、通話機能によって取得される受話音声は、“コンテンツ”のカテゴリから排除される。
【００６７】
また、携帯通信端末は、図６および図７に示す要領で動作させるようにしてもよい。
【図面の簡単な説明】
【００６８】
【図１】この実施例の一実施例の構成を示すブロック図である。
【図２】（Ａ）は図１実施例の閉状態を示す正面図であり、（Ｂ）は図１実施例の開状態の一例を示す正面図であり、（Ｃ）は図１実施例の開状態の他の一例を示す斜視図である。
【図３】図１実施例に適用されるＣＰＵの動作の一部を示すフロー図である。
【図４】図１実施例に適用されるＣＰＵの動作の他の一部を示すフロー図である。
【図５】図１実施例に適用されるＣＰＵの動作のその他の一部を示すフロー図である。
【図６】図１実施例の動作の一部を示す図解図である。
【図７】図１実施例の動作の他の一部を示す図解図である。
【符号の説明】
【００６９】
１０  …携帯端末
１２，２４  …アンテナ
１４  …電話処理回路
１６  …マイクロフォン
１８  …加算器
２２  …セレクタ
２６  …ＴＶ処理回路
ＳＰ１，ＳＰ２  …スピーカ
３２  …ＬＣＤモニタ
３８  …ＣＰＵ
４０  …多重回路
【図１】
2006279122.tif 000003
【図２】
2006279122.tif 000004
【図３】
2006279122.tif 000005
【図４】
2006279122.tif 000006
【図５】
2006279122.tif 000007
【図６】
2006279122.tif 000008
【図７】
2006279122.tif 000009